(57)【特許請求の範囲】
【請求項１】
被測定物に穿設された測定用穴内に配置される熱電対の測温部側に固着されたストッパーと上記測定用穴の口縁に止着される止着具との間に弾発バネを介設することにより熱電対の測温部先端を上記測定用穴の突端に付勢当接せしめるようにした熱電対の支持構造であって、前記止着具が、弾性を有する１枚の金属板で互いにほぼ平行な細長板状部とこれら細長板状部を連結する当接支持部とで側面視略コ字形状に形成され、上記当接支持部に前記熱電対を貫挿通させるための挿通穴を開設し、上記細長板状部には前記測定用穴の口縁内側に係合掛止される掛止片を突設すると共に該細長板状部において前記測定用穴の外部に突出する側を指で摘んで操作するための操作摘み部となした事を特徴とする熱電対の支持構造。
【請求項２】
前記止着具の操作摘み部を、測定用穴口縁の内径より大きく形成した請求項１記載の熱電対の支持構造。
【請求項３】
被測定物に穿設された測定用穴内に配置される熱電対の測温部側に固着されたストッパーと上記測定用穴の口縁に止着される止着具との間に弾発バネを介設することにより熱電対の測温部先端を上記測定用穴の突端に付勢当接せしめるようにした熱電対の支持構造であって、前記ストッパーが、弾性を有する金属線で内径が熱電対の外径より少し小径なコイル状に形成されると共に当該金属線の両端をコイルの軸方向に折曲して形成された摘み部を有し該摘み部を互いに引き寄せるように摘んでその内径を拡開することにより移動可能なように前記熱電対に嵌挿固着されている事を特徴とする熱電対の支持構造。
【請求項４】
被測定物に穿設された測定用穴内に配置される熱電対の測温部側に固着されたストッパーと上記測定用穴の口縁に止着される止着具との間に弾発バネを介設することにより熱電対の測温部先端を上記測定用穴の突端に付勢当接せしめるようにした熱電対の支持構造であって、前記ストッパーが、弾性を有する細長い１枚の金属板でその両端部が少し内向きに起立形成され中腹部が少し弓なりに形成されると共に上記両端部に挿通穴が形成され該挿通穴にわたって前記熱電対を貫挿通せしめることにより熱電対に対して移動可能なように固着されている事を特徴とする熱電対の支持構造。
【発明の詳細な説明】
【０００１】
【発明の属する技術分野】
本発明は、金型等の被測定物に穿ち形成された測定用穴内に熱電対を挿入装着して温度を測定するようにした温度測定装置における熱電対の支持構造に関するものである。
ちなみに本発明で熱電対とは、シース熱電対やシース測温抵抗体等を言う。
【０００２】
【従来の技術】
本発明に近い技術として、実開昭６０−１０２６４０号公報に開示されたところの熱電対の支持構造がある。このものは、図６に示したごとく、熱電対Ｃの測温部側Ｃ1 に固着されたストッパー（イ）と被測定物Ａに形成された測定用穴Ｂの口縁に螺合止着される穴あきボルト（ロ）との間に弾発バネ（ハ）を介設することにより熱電対Ｃの測温部先端が測定用穴Ｂの突端Ｂ’に付勢当接するように構成されている。
この様な構成とすることにより、被測定物が振動したり熱膨張しても熱電対の測温部先端が測定用穴の突端に常時当接しているため安定して測定できる利点はあるものの、穴あきボルトを測定用穴に螺合止着しなければならないので、熱電対の装着・取り外しに手間取る不具合があった。
【０００３】
【発明が解決しようとする課題】
本発明はこの様な従来の不具合に鑑みてなされたものであり、被測定物が振動したり熱膨張しても安定した測定が出来ることは勿論のこと、熱電対を被測定物の測定用穴に簡便にワンタッチで装着・取り外すことが出来ると共に、測定用穴口縁からの出っ張り寸法を小さく抑えることが出来、且つ深さの異なる測定用穴に対しても簡便に対応することが可能な熱電対の支持構造を提供せんとするものである。
【０００４】
【課題を解決するための手段】
斯る目的を達成する本発明の請求項１記載の熱電対の支持構造は、被測定物に穿設された測定用穴内に配置される熱電対の測温部側に固着されたストッパーと上記測定用穴の口縁に止着される止着具との間に弾発バネを介設することにより熱電対の測温部先端を上記測定用穴の突端に付勢当接せしめるようにした熱電対の支持構造であって、前記止着具が、弾性を有する１枚の金属板で互いにほぼ平行な細長板状部とこれら細長板状部を連結する当接支持部とで側面視略コ字形状に形成され、上記当接支持部に前記熱電対を貫挿通させるための挿通穴を開設し、上記細長板状部には前記測定用穴の口縁内側に係合掛止される掛止片を突設すると共に該細長板状部において前記測定用穴の外部に突出する側を指で摘んで操作ための操作摘み部となした事を特徴としたものである。
この際、前記止着具の操作摘み部を、前記測定用穴口縁の内径より大きく形成することが好ましい。
また、本発明の請求項３記載の熱電対の支持構造は、前記ストッパーが、弾性を有する金属線で内径が熱電対の外径より少し小径なコイル状に形成されると共に当該金属線の両端をコイルの軸方向に折曲して形成された摘み部を有し該摘み部を互いに引き寄せるように摘んでその内径を拡開することにより移動可能なように前記熱電対に嵌挿固着されている事を特徴としたものである。
そして、本発明の請求項４記載の熱電対の支持構造は、前記ストッパーが、弾性を有する細長い１枚の金属板でその両端部が少し内向きに起立形成され中腹部が少し弓なりに形成されると共に上記両端部に挿通穴が形成され該挿通穴にわたって前記熱電対を貫挿通せしめることにより熱電対に対して移動可能なように固着されている事を特徴としたものである。
【０００５】
【発明の実施の形態】
以下、本発明の具体的な実施例を図面に基づいて説明する。
図中、Ａは金型等の温度を測定される被測定物であり、Ｂは被測定物Ａの所要の箇所に穿ち形成された測定用穴であり、Ｃは測定用穴Ｂ内に抜き差し自在に装着される熱電対を示す。
【０００６】
そして、本発明に係る熱電対の支持構造は、被測定物Ａに穿設された測定用穴Ｂ内に配置される熱電対Ｃの測温部側Ｃ1 に固着されたストッパー１と、測定用穴Ｂの口縁に止着される止着具２との間に弾発バネ３を介設することにより、熱電対Ｃの測温部先端を測定用穴Ｂの突端Ｂ’に付勢当接せしめるように構成されている。
【０００７】
ストッパー１は、被測定物Ａの測定用穴Ｂの内径より小径で且つ熱電対Ｃに対して容易に移動が可能なように固着取付けられるものが好ましい。具体的には、図１ないし図３に示した第１実施例のストッパー１は、測定用穴Ｂの内径より小径な略ドーナツ盤形状に形成して熱電対Ｃの測温部側Ｃ1 外周に移動自由に嵌挿せしめ、固定用小ネジ１１でもって固着取付けるようにしたものである。
【０００８】
また、図４に示した第２実施例のストッパー１は、弾性を有する１本の金属線を用いて、その内径が熱電対Ｃの外径より少し小径となるコイル状に形成すると共に、当該金属線の両端部をそれぞれコイルの軸方向に折り曲げて形成した摘み部１ａ，１ａ’を有してなり、使用に際して熱電対Ｃの測温部側Ｃ1 外周に嵌挿せしめ、両端の摘み部１ａ，１ａ’を互いに引き寄せるように摘んでその内径を少し拡開することにより熱電対Ｃに対して移動可能となり、摘み部１ａ，１ａ’を離すと周方向にはたらく収縮力により移動不能な状態に固着するように構成したものである。
【０００９】
更に、図５に示した第３実施例のストッパー１は、弾性を有する細長い１枚の金属板を用いて、その両端部１ｂ，１ｂ’が少し内向きに起立形成され中腹部が上方に少し弓なりに反らし形成されると共に、上記両端起立部１ｂ，１ｂ’には挿通穴１ｃ，１ｃ’を開口形成してなり、両端起立部１ｂ，１ｂ’に形成した挿通穴１ｃ，１ｃ’にわたって熱電対Ｃの測温部側Ｃ1 を貫挿通せしめることにより、金属板が有する弾性作用を利用して熱電対Ｃに対して移動が可能なように固着取付けたものである。即ち、この第３実施例のストッパー１は、いわゆる自在鉤とほぼ同様の原理でもって、両端起立部１ｂ，１ｂ’のどちらか一方の内側を外側方に押圧すると、押圧した方向へ移動するようになっている。
【００１０】
止着具２は、弾性を有する細長い１枚の金属板を用いて、互いにほぼ平行な細長板状部２ｂ，２ｂとこれら細長板状部２ｂ，２ｂを連結する当接支持部２ａとで側面視略コ字形状に折曲形成され、その当接支持部２ａには熱電対Ｃを貫挿通させるための挿通穴２１が開口形成され、細長板状部２ｂ，２ｂには測定用穴Ｂの口縁内側に形成せしめた係合溝Ｂ”に係合掛止される掛止片２２，２２が外側へ向け切り起こして突設されると共に、この細長板状部２ｂ，２ｂにおいて測定用穴Ｂの外部に突出する側を、指で摘んで操作するための操作摘み部２３，２３となしてなる。
【００１１】
この時、止着具２の細長板状部２ｂ，２ｂは、図示実施例の如く、当接支持部２ａに連なる部分から全体を外側方へ少し拡開させると共に、掛止片２２，２２より先の部分を更に少し外側方へ折り曲げ拡開させることが好ましい。そうすれば、掛止片２２，２２が測定用穴Ｂの係合溝Ｂ”に確実に掛け止めされ且つ容易に掛け外すことができるようになる。
尚、測定用穴Ｂ口縁の内側に形成せしめる係合溝Ｂ”としては、例えば雌ネジを形成すれば良い。
【００１２】
また、止着具２の細長板状部２ｂ，２ｂに形成する操作摘み部２３，２３は、指で摘み操作しやすいように、略円形状に形成すると共に、被測定物Ａに形成せしめた測定用穴Ｂ口縁の内径よりも少し大きく形成する。
【００１３】
而して、熱電対Ｃを被測定物Ａの測定用穴Ｂ内に装着する場合には、熱電対Ｃの測温部側Ｃ1 にストッパー１を取付けると共に、止着具２の挿通穴２１に熱電対Ｃを貫挿通せしめ、ストッパー１と止着具２（の当接支持部２ａ）の間に弾発バネ３を介在設置させる。
そして、熱電対Ｃの測温部側Ｃ1 を測定用穴Ｂ内に挿入させ、止着具２の操作摘み部２３，２３を指で摘んで止着具２を測定用穴Ｂに押し込み、その後止着具２の操作摘み部２３，２３から指を離す。すると、止着具２の掛止片２２，２２が測定用穴Ｂの内側口縁に形成せしめた係合溝Ｂ”に係合掛止されると共に、熱電対Ｃの測温部先端が測定用穴Ｂの突端Ｂ’に付勢当接し、熱電対Ｃが被測定物Ａの測定用穴Ｂ内に装着支持される。
この時、熱電対Ｃの付勢力は、弾発バネ３の長さを変えるかバネ力を変えることにより調整可能であるが、弾発バネ３が一定の場合には、ストッパー１を熱電対Ｃの軸方向に移動させて止着具２に対する距離を変化させることによっても調節可能である。
【００１４】
また、熱電対Ｃを被測定物Ａの測定用穴Ｂから取り外す場合には、止着具２の操作摘み部２３，２３を指で摘んで止着具２の掛止片２２，２２を測定用穴Ｂの係合溝Ｂ”から掛け外すと、弾発バネ３の弾発力により止着具２が測定用穴Ｂから押し出されてくるので、そのまま熱電対Ｃを被測定物Ａの測定用穴Ｂから引き抜けば良い。
【００１５】
【発明の効果】
本発明に係る熱電対の支持構造は斯様に構成したので、下記の効果を奏する。
▲１▼  熱電対の測温部先端が被測定物の測定用穴の突端に常時付勢当接しているので、被測定物が振動したり熱膨張しても安定した測定が出来る。
▲２▼  測定用穴の口縁に止着される止着具を弾性を有する金属板で側面視略コ字形状に形成し、その当接支持部に熱電対を貫挿通させ細長板状部に前記測定用穴の口縁内側に係合掛止される掛止片を突設すると共に該細長板状部において測定用穴の外部に突出する側を指で摘むための操作摘み部となしたので、熱電対を測定用穴に簡便にワンタッチで装着・取り外すことが出来る。
▲３▼  上記止着具が測定用穴の口縁に止着されると、測定用穴の外に出っ張る部分は、指で摘んで操作するための操作部だけであるため、被測定物の測定用穴口縁からの出っ張り寸法を、従来の穴あきボルトを止着具として用いた場合よりも小さくすることが出来る。
▲４▼  上記止着具及びストッパーの構造は頗る簡単であり、プレス加工等により容易に製造することが出来るので、安価に提供することが出来る。
▲５▼  ストッパーを熱電対に対して、格別な工具を使用せずともワンタッチ移動させることが出来、よって深さの異なる測定用穴に対しても簡便に対応することが可能となる。
【図面の簡単な説明】
【図１】    本発明に係る熱電対の支持構造の実施の一例を示す断面図。
【図２】    同要部の拡大断面図。
【図３】    同要部の斜視図。
【図４】    本発明に係るストッパーの第２実施例を示す斜視図。
【図５】    本発明に係るストッパーの第３実施例を示す斜視図。
【図６】    従来例を示す断面図。
【符号の説明】
Ａ………被測定物                    Ｂ………測定用穴
Ｃ………熱電対                      Ｃ1 ……測温部側
１………ストッパー                  １ａ，１ａ’…摘み部
１ｂ，１ｂ’…両端起立部            １ｃ，１ｃ’…挿通穴
２………止着具
２ａ……当接支持部                  ２ｂ……細長板状部
２１……挿通穴                      ２２……掛止片
２３……操作摘み部
３………弾発バネ
【図１】
0003671092.tif 000002
【図２】
0003671092.tif 000003
【図３】
0003671092.tif 000004
【図４】
0003671092.tif 000005
【図５】
0003671092.tif 000006
【図６】
0003671092.tif 000007